(57)【要約】      （修正有）【課題】長時間通電状態としなくても球誘導片を開状態に保持できると共に、その制御が容易なソレノイド駆動型可変入賞装置を提供する。【解決手段】ソレノイド２２を励磁することによりプランジャーが進出動又は後退動し、該プランジャーの作動により球誘導片４ｂが可動し遊技球を入賞し易い状態または入賞し難い状態に可変させるソレノイド駆動型可変入賞装置であって、ソレノイドが消磁された後も機械的に保持されるようにするラッチ機構を設け、ラッチ機構は、ソレノイド２２が消磁された後の該回転子の回転状態に従い該プランジャーをバネ部材の弾性に抗して進出状態又は後退状態に機械的に保持する。【選択図】図２
2008272254.tif 000002
【特許請求の範囲】
【請求項１】
ソレノイドを励磁することによりプランジャーが進出動又は後退動し、該プランジャーの作動により球誘導片が可動し遊技球を入賞し易い状態または入賞し難い状態に可変させるソレノイド駆動型可変入賞装置であって、ソレノイドが消磁された後も該プランジャーがバネ部材の弾性に抗して進出状態又は後退状態に機械的に保持されるようにするラッチ機構を設け、該ラッチ機構による該プランジャーの保持は該ソレノイドを再励磁した際に解除され該プランジャーが前記バネ部材の弾性により復帰するように構成したことを特徴とするソレノイド駆動型可変入賞装置。
【請求項２】
請求項１に記載のラッチ機構は、ソレノイドを励磁させプランジャーをバネ部材の弾性に抗して進出動又は後退動させる度に該プランジャーに設けられた起動カム体が回転子を一方向に所定角度ずつ回転させ、ソレノイドが消磁された後の該回転子の回転状態に従い該プランジャーをバネ部材の弾性に抗して進出状態又は後退状態に機械的に保持するものであることを特徴とするソレノイド駆動型可変入賞装置。
【請求項３】
請求項１に記載のラッチ機構は、プランジャーの外周に実質的に固定状に設けた環状の起動カム体と、プランジャーの外周に回転自在に設けられた環状の回転子と、該起動カム体および該回転子を支持する筒状部とからなり、前記起動カム体の前記回転子との対向面に所定ピッチ角で山部と谷部がジグザグ状に連なる菊花状凹凸面を形成し、前記筒状部はスリットを前記菊花状凹凸面のピッチ角の４倍のピッチ角で形成することにより円弧状に分断され、分断された各円弧状部の一端縁に鋸歯状斜面を夫々２ピッチ分形成し、前記回転子の外周縁に前記スリットに遊嵌または前記鋸歯状斜面に当接し得る係合片を突設し、バネ部材の弾性により該回転子を前記起動カム体の菊花状凹凸面に圧接させてなり、ソレノイドを励磁させプランジャーがバネ部材の弾性に抗して進出動又は後退動する度に前記菊花状凹凸面が回転子を押圧することで該回転子を回転させると共に、回転した該回転子の係合片がソレノイドを消磁させた際にバネ部材の弾性により前記鋸歯状斜面に圧接されることで該回転子が該鋸歯状斜面に沿ってさらに同方向に回転し、かくしてソレノイドの励磁・消磁が繰り返される毎に該回転子の回転状態に従い１回置きに前記係合片が前記スリットに遊嵌したり円弧状部の一端縁に留まることでプランジャーがバネ部材の弾性に抗して進出状態又は後退状態に機械的に保持されるようにしたものであることを特徴とするソレノイド駆動型可変入賞装置。
【発明の詳細な説明】
【技術分野】
【０００１】
本発明は、ソレノイドを作動させることにより入賞口に設けられた球誘導片が可動し、遊技盤上を流下するパチンコ球を該入賞口に入賞し易くしたり入賞し難くするパチンコ機のような弾球遊技機におけるソレノイド駆動型可変入賞装置に関するものである。
【背景技術】
【０００２】
パチンコ機のような弾球遊技機において、ソレノイドを励磁・消磁させることによって一対の球誘導片を平行起立状態または逆八字状に傾動させ、遊技盤上を流下するパチンコ球を入賞口に入賞し易くしたり入賞し難くするよう構成されたチューリップ形のソレノイド駆動型可変入賞装置は、下記特許文献１等に示されている。
また、横長状の大入賞口に蓋板状の球誘導片が設けられ、いわゆる大当たりが発生すると、ソレノイドを励磁・消磁させることにより、該球誘導片を可動させ、該大入賞口を開閉させるソレノイド駆動型可変入賞装置は、下記特許文献２等に示されている。
【特許文献１】特開２００４−２６７２８４号公報
【特許文献２】特開２００１−４６６９３号公報
【０００３】
ところで、一般にこの種のソレノイド駆動型可変入賞装置は、ソレノイドに長時間（例えば数十秒）通電していると、該ソレノイドが過熱し、吸引力が弱くなるなど駆動源の性能劣化や、リンク部材の熱変形等が発生し、故障や発火の原因となることがあった。しかし、近年は遊技性の観点から入賞口を長時間開状態に保つといった要請があるため、その発熱対策が一層問題となるものであった。
そのために上記特許文献１に示された入賞装置は、第１の通電状態にするとプランジャーを第１の位置から第２の位置へ変位させる一方、第２の通電状態にするとプランジャーを第２の位置から第１の位置へ変位させる構造のキープソレノイド（自己保持型ソレノイドとも呼ばれる）を使用することにより、電源をオフしてもプランジャーが吸着状態に保持されるようにし、長時間通電の必要がないようにしている。
【発明の開示】
【発明が解決しようとする課題】
【０００４】
しかしながら、上記キープソレノイドのような特殊なソレノイドを使用すると製造コストが高くなると共に、従来の普通のソレノイドのようにオン・オフ制御により作動させられないので、制御系が複雑になり、制御回路を変更することが余儀なくされるという問題があった。
そこで、本発明は、長時間通電状態としなくても球誘導片を開状態に保持できると共に、その制御が容易なソレノイド駆動型可変入賞装置を提供しようとするものである。
【課題を解決するための手段】
【０００５】
本発明は、上記課題を解決しようとするもので、ソレノイドを励磁することによりプランジャーが進出動又は後退動し、該プランジャーの作動により球誘導片が可動し遊技球を入賞し易い状態または入賞し難い状態に可変させるソレノイド駆動型可変入賞装置であって、ソレノイドが消磁された後も該プランジャーがバネ部材の弾性に抗して進出状態又は後退状態に機械的に保持されるようにするラッチ機構を設け、該ラッチ機構による該プランジャーの保持は該ソレノイドを再励磁した際に解除され該プランジャーが前記バネ部材の弾性により復帰するように構成したことを特徴とする。
また本発明は上記ソレノイド駆動型可変入賞装置において、ラッチ機構は、ソレノイドを励磁させプランジャーをバネ部材の弾性に抗して進出動又は後退動させる度に該プランジャーに設けられた起動カム体が回転子を一方向に所定角度ずつ回転させ、ソレノイドが消磁された後の該回転子の回転状態に従い該プランジャーをバネ部材の弾性に抗して進出状態又は後退状態に機械的に保持するものであることを特徴とする。
また本発明は上記ソレノイド駆動型可変入賞装置において、ラッチ機構は、プランジャーの外周に実質的に固定状に設けた環状の起動カム体と、プランジャーの外周に回転自在に設けられた環状の回転子と、該起動カム体および該回転子を支持する筒状部とからなり、前記起動カム体の前記回転子との対向面に所定ピッチ角で山部と谷部がジグザグ状に連なる菊花状凹凸面を形成し、前記筒状部はスリットを前記菊花状凹凸面のピッチ角の４倍のピッチ角で形成することにより円弧状に分断され、分断された各円弧状部の一端縁に鋸歯状斜面を夫々２ピッチ分形成し、前記回転子の外周縁に前記スリットに遊嵌または前記鋸歯状斜面に当接し得る係合片を突設し、バネ部材の弾性により該回転子を前記起動カム体の菊花状凹凸面に圧接させてなり、ソレノイドを励磁させプランジャーがバネ部材の弾性に抗して進出動又は後退動する度に前記菊花状凹凸面が回転子を押圧することで該回転子を回転させると共に、回転した該回転子の係合片がソレノイドを消磁させた際にバネ部材の弾性により前記鋸歯状斜面に圧接されることで該回転子が該鋸歯状斜面に沿ってさらに同方向に回転し、かくしてソレノイドの励磁・消磁が繰り返される毎に該回転子の回転状態に従い１回置きに前記係合片が前記スリットに遊嵌したり円弧状部の一端縁に留まることでプランジャーがバネ部材の弾性に抗して進出状態又は後退状態に機械的に保持されるようにしたものであることを特徴とする。
【発明の効果】
【０００６】
ソレノイドに電流を短時間流すだけで、入賞口を開状態に保つことができるとともに、該ソレノイドに電流を再度短時間流すことで該入賞口を閉状態に戻すことができる。このため、長時間通電の必要がなく、長時間通電によりソレノイドが過熱するのを防止することができる。また、従来から遊技機に多用されている普通のソレノイドを使用できるため、製造コストを軽減させると共に電気的制御も容易になる。
【発明を実施するための最良の形態】
【０００７】
次に本発明の実施形態を図面に従い説明する。図１はチューリップ形のソレノイド駆動型可変入賞装置の斜視図、図２はその遊技盤への取付状態の縦断面図、図３は図２の作動状態図、図４はこのソレノイド駆動型可変入賞装置の分解斜視図である。図中、１は中央に入球口２が開設された取付基板、３は該取付基板の前面に固設される球受部材、４ａ，４ｂは取付基板１の前面で該球受部材内に設けられた支軸５ａ，５ｂにより平行起立及び逆八字状傾動自在に軸支された一対の球誘導片である。該取付基板１の裏面には入球口２より流入したパチンコ球を後方に導く緩後傾状の球誘導樋６が設けられている。また、球誘導片４ａ，４ｂの裏面に一体に係合軸７ａ，７ｂが形成され、該係合軸の先端を該取付基板１の裏面に突出させている。なお、８は取付基板１の上部に形成された普通入賞口、９は球誘導樋６の下部に設けられた球検出用センサである。１０は該可変入賞装置が取り付けられるパチンコ遊技機の遊技盤を示す。
【０００８】
また、１１は取付片部１３にビスを貫挿することにより取付基板１の裏側に固定される枠状体で、該枠状体の上部には前記普通入賞口８の後面と連なる球導路１２が一体に形成されている。また、１４は後述するソレノイドのプランジャーの動きを球誘導片４ａ，４ｂに伝達するための伝動部材で、該伝動部材は横断軸１５，１６の両端に一対の側板部１７ａ，１７ｂを一体的に形成し、該側板部の両外面に支持軸１８ａ，１８ｂを突設し、該支持軸を前記枠状体１２の後縁部に形成された切欠孔１９に遊嵌することにより該支持軸１８ａ，１８ｂを回転自在に支持し、一方の横断軸１５が前記係合軸７ａ，７ｂ上に横架するようにしている。なお、側板部１７ａ，１７ｂの内側面に後述するプランジャーの先端部に係合させるための突軸１９ａ，１９ｂが一体に形成されている。
【０００９】
また、図５、図６に拡大斜視図を示したように、２０は枠状体１１の後側にビス２１により固着される機枠体で、該機枠体上にソレノイド２２をビス２６によって固定支持すると共に、該機枠体の前縁部に形成した筒状部２３により以下にて詳しく説明するラッチ機構２４が構成される。２５はソレノイド２２を励磁することにより該ソレノイドの芯孔中に磁力により吸引されるように強磁性金属材により軸状に形成されたプランジャーで、該プランジャーには略中間部にフランジ２５ａが一体に形成されていると共に、先端に係合溝２５ｂを形成するべく適宜間隔で一対のフランジ２５ｃが形成され、該係合溝２５ｃ中に前記突軸１９ａ，１９ｂを係合させている。２６は該プランジャー２５の外周に設けられ該プランジャー２５を前方に突出させるように付勢するコイル状のバネ部材である。
【００１０】
３０は環状の起動カム体で、該起動カム体はプランジャー２５の外周に貫挿しフランジ２５ａに当接させることによりプランジャー２５の外周に実質的に固定状に設けられる。また、３５は環状の回転子で、該回転子は起動カム体３０の後側でプランジャー２５の外周に回転自在に貫挿される。起動カム体３０は、図６の斜視図、および図７の正面図、図８の側面図、図９の後面図から分かるように、回転子３５との対向面に定ピッチ角（３０度の定角間隔）で山部３１と谷部３２とがジグザグ状に連なる菊花状凹凸面３３が形成されている。また、該起動カム体３０の山部３１に相当する外周縁に１２０度のピッチ角にて３つの突起３４が一体に形成されたものである。回転子３５は、図５の斜視図、および図１０の正面図、図１１の側面図、図１２の後面図から分かるように、前記突起３４と同様に外周縁に１２０度のピッチ角にて３つの係合片３６が突設され、該係合片３６は起動カム体３０と相対する該回転子３５の前面方向にも突出していてその突出面３６ａを一回転方向に傾斜する斜面状に形成している。
【００１１】
前記筒状部２３は、起動カム体３０および回転子３５を軸方向に進退自在に支持するもので、図５、図６の斜視図、および図１３の後面図から分かるように、軸方向のスリット３７を前記菊花状凹凸面３３のピッチ角の４倍のピッチ角（即ち、１２０度の定角間隔）で形成することにより円弧状に分断され、分断された各円弧状部２３ａ〜２３ｃの一端縁（この場合は後端縁）に第１斜面３８ａと第２斜面３８ｂとからなり山頂部３９ａと谷底部３９ｂが形成される２ピッチ分の鋸歯状斜面３８を形成してなる。そして、前記係合片３６が該スリット３７に遊嵌または該鋸歯状斜面３８に当接し得るようにすると共に、バネ部材２６の弾性により回転子３５を前方に押圧し該回転子を起動カム体３０の菊花状凹凸面３３に圧接させてなる。
【００１２】
このため、いま図２に示したようにソレノイド２２が消磁していて一対の球誘導片４ａ，４ｂが平行起立状態であるときに、該ソレノイド２２を励磁させプランジャー２５をバネ部材２６の弾性に抗して後退動させ、該プランジャー２５の後退動によって伝動部材１４を牽引させることにより、図３に示したように横断軸１５が上昇し、係合軸７ａ，７ｂが自由となって一対の球誘導片４ａ，４ｂが自重により外側に逆八字状に開動し、遊技球が入賞し難い状態から入賞し易い状態に可変する。このとき、即ち、ソレノイド２２を励磁させプランジャー２５がバネ部材２６の弾性に抗して後退動する際に、起動カム体３０は回転子３５を押圧することから該回転子３５に回転トルクを生じさせ、該回転子３５の係合片３６がスリット３７から抜け出たときに該回転子３５は図１４に示した矢印方向に微動回転する。そして、ソレノイド２２を消磁すると、バネ部材２６の弾性により該係合片３６が第１斜面３８ａに圧接されることから該係合片３６は該第１斜面３８ａを摺動し該回転子３５をさらに同方向に微動回転させ、図１５に示したように該係合片３６を谷底部３９ｂにて停止させる。このため、ソレノイド２２を消磁させてもバネ部材２６によるプランジャー２５の復帰進出動が阻止され、球誘導片４ａ，４ｂが図３に示した開状態に保持される。なお、起動カム体３０の突起３４はソレノイド２２を励磁させたときも消磁させたときも常にスリット３７中にあるために回転することなくプランジャー２５と一体的に進退動する。
【００１３】
そして次にまたソレノイド２２を励磁させ、プランジャー２５を後退動させると、起動カム体３０が回転子３５を再び押圧し該回転子３５の係合片３６を谷底部３９ｂから山頂部３９ａに移動させると共に、該回転子３５に同方向の回転トルクを生じさせる。このため、回転子３５はさらに同方向に微動回転する。そして、ソレノイド２２を消磁すると、バネ部材２６の弾性により該係合片３６が第２斜面３８ｂに圧接されることから該係合片３６は該第２斜面３８ｂを摺動し該回転子３５をさらに同方向に微動回転させて該係合片３６を次のスリット３７に遊嵌させる。このためプランジャー２５はバネ部材２６の弾性により図２に示した状態に復帰し、一対の球誘導片４ａ，４ｂが平行起立状態となり、遊技球が入賞し易い状態から入賞し難い状態に可変する。
【００１４】
このように、このラッチ機構２４は、ソレノイド２２を励磁させプランジャー２５がバネ部材２６の弾性に抗して後退動する度に菊花状凹凸面３３が回転子３５を押圧することで該回転子を回転させると共に、回転した該回転子の係合片３６がソレノイド２２を消磁させた際にバネ部材２６の弾性により鋸歯状斜面３８に圧接されることで該回転子が該鋸歯状斜面に沿ってさらに同方向に回転し、かくしてソレノイド２２の励磁・消磁が繰り返される毎に該回転子の回転状態に従い１回置きに係合片３６がスリット３７に遊嵌したり円弧状部２３ａ〜２３ｃの一端縁に留まることでプランジャー２５がバネ部材２６の弾性に抗して後退状態に機械的に保持されるようにしたことで、ソレノイド２２の励磁を解いても球誘導片４ａ，４ｂを開状態に保持することができ、ソレノイド２２を短時間通電するだけで、該球誘導片４ａ，４ｂを開状態に保持したり、閉状態にすることが可能となる。
【００１５】
なお、この実施形態では、ソレノイド２２を励磁させることによりプランジャー２５が後退動する構成としたが、ソレノイドを励磁させることによりプランジャーが進出動するものとし、ラッチ機構がそのプランジャーの進出状態を機械的に保持するような構成としてもよい。即ち、本発明では、励磁することによりプランジャーを進出動させるソレノイドであっても、後退動させるソレノイドであってもよい。
【００１６】
以上の実施形態は、いわゆるチューリップ型の可変入賞装置に本発明を適用したものであるが、本発明はチューリップ型の可変入賞装置に限らず、図１６、図１７に示した大入賞口可変入賞装置に適用することもできる、即ち、この可変入賞装置は、取付基板１に大きな長方形状の入球口２が形成され、長方形板状の球誘導片４の両端部に支軸５ａ，５ｂを設け、該支軸５ａ，５ｂを該入球口２の両側縁に軸支することより該球誘導片４を前方に傾倒自在に支持し、該取付基板１の裏側に支持軸１８により伝動部材１４を回転自在に支持し、該伝動部材１４の先端部１４ａを球誘導片４に形成された突軸４ａ上に位置させると共に、該伝動部材１４の基部１４ｂをプランジャー２５の先端フランジ部に係合させ、該プランジャー２５に上記実施形態で示したものと同様のラッチ機構２４を設け、上記実施形態で示したものと同様に、ソレノイド２２を励磁・消磁させることにより、該プランジャー２５が後退状態に機械的に保持され、球誘導片４が開状態に保持され、次にまたソレノイド２２を励磁・消磁させることによりプランジャー２５が進出状態となって該球誘導片４が閉じられる。
【００１７】
また、本発明にて使用されるラッチ機構は、上記実施形態で示した構造の他、図１８の斜視図および図１９の側面図に示したような構造とすることもできる。即ち、この実施形態は、ラッチ機構２４をソレノイド２２上に固設すると共に、該ラッチ機構２４に係脱し得る係合突起部５０を伝動部材１４の一部に形成したものである。該ラッチ機構２４は、図２０，図２１に構造を示すように、前面が開口した長方形状のケース５１と、前端面に開閉自在なる一対の爪片５２，５２を一体に形成した摺動体５３と、該摺動体の上面に軸６１を支点として水平面内で回転自在なるように軸支した回転片５４と、コイルバネ５５とからなり、摺動体５３はケース５１内に前後方向に進退自在に配置されると共に、コイルバネ５５により前方に付勢される。５６は該摺動体５３の進退範囲を制限するために該摺動体５３の上面に突設され該ケース５１の長孔５７に遊嵌したピンである。回転片５４は長方形板状であってその両端部をＶ字形に切り欠いて凹部５４ａ，５４ｂを形成したものである。また、摺動体５３が後退したときに該凹部５４ａ，５４ｂに当接し得る突起５８，５９をケース５１の後壁面に形成すると共に、摺動体５３が前進したときに該凹部５４ａ，５４ｂに当接し得る突起６０をケース５１の上壁内面に形成している。なお、その他、前記実施形態と同一符号は同一部分を表す。
【００１８】
このラッチ機構２４では、ソレノイド２２を励磁しプランジャー２５をバネ部材２６の弾性に抗して後退動させ、伝動部材１４を牽引することにより、図２２に示したように球誘導片４ａ，４ｂが自重により外側に逆八字状に開動し、遊技球が入賞し難い状態から入賞し易い状態に可変し、そのとき、係合突起部５０が摺動体５３を押圧し、該摺動体５３はコイルバネ５５の弾性に抗してケース５１中に押し込まれることから爪片５２，５２の間隔が狭まり係合突起部５０が該爪片５２，５２により抱持されると共に、該摺動体５３がケース５１中に押し込まれると回転片５４が突起５８に当たって図２４に矢印で示した方向に微動回転する。この状態でソレノイド２２が消磁されると、バネ部材２６の弾性により伝動部材１４が押されて係合突起部５０が摺動体５３から離れようとするが、摺動体５３は図２５に示したように、凹部５４ａに突起６０が係合することで前進が阻まれ、係合突起部５０は爪片５２，５２によって抱持されたままとなる。このため、ソレノイド２２が消磁されても図２３に示したように球誘導片４ａ，４ｂは開状態に保持される。
【００１９】
そして次にまたソレノイド２２を励磁させることによりプランジャー２５を後退動させ、係合突起部５０が摺動体５３を押圧すると、図２６に示したように、回転片５４が突起５９に当たって微動回転し凹部５４ａと突起６０との係合が外れることから、この状態でソレノイド２２が消磁されると、コイルバネ５５の弾性により摺動体５３が前進し、図２０に示したように爪片５２，５２を突出させ両爪片の間隔が開くことから係合突起部５０の抱持が解かれ、図１８，図１９に示した状態に復帰し、一対の球誘導片４ａ，４ｂが平行起立状態となり、遊技球が入賞し易い状態から入賞し難い状態に可変する。このため、摺動体５３が進退動する度に回転片５４が図示矢印方向に回転し、上記係合とその解除が繰り返されることから、この実施形態の場合もソレノイド２２を短時間通電するだけで、該球誘導片４ａ，４ｂを開状態に保持したり、閉状態にすることが可能となる。
【００２０】
このように本発明では、ラッチ機構を設けることにより、ソレノイドの励磁を解いても球誘導片を開状態に保持することができるようになるので、ソレノイドを短時間通電するだけで、可変入賞装置の形式を問わずその球誘導片を開状態に保持したり、閉状態にすることができる。このため、ソレノイドの発熱を最小限にでき、長時間通電による過熱によって吸引力が弱くなったり、熱変形等を生じさせ故障や発火を起こすようなおそれがない。また、普通のソレノイドを使用できると共に、ソレノイドを小型化しても短時間だけ大電流を通電することにより十分なパワーを出すことができるので、製造コストを軽減することが可能となる。さらに、普通のオン・オフ制御により作動させられるので、制御回路を複雑にすることもなく簡単に使用することができるなど有益である。
【図面の簡単な説明】
【００２１】
【図１】本発明に係るソレノイド駆動型可変入賞装置の斜視図。
【図２】本発明に係るソレノイド駆動型可変入賞装置の縦断面図。
【図３】図２の作動状態図。
【図４】本発明に係るソレノイド駆動型可変入賞装置の分解斜視図。
【図５】本発明に係るソレノイド駆動型可変入賞装置の要部の分解斜視図。
【図６】本発明に係るソレノイド駆動型可変入賞装置の要部の分解斜視図。
【図７】本発明に係るソレノイド駆動型可変入賞装置の起動カム体の正面図。
【図８】本発明に係るソレノイド駆動型可変入賞装置の起動カム体の側面図。
【図９】本発明に係るソレノイド駆動型可変入賞装置の起動カム体の後面図。
【図１０】本発明に係るソレノイド駆動型可変入賞装置の回転子の正面図。
【図１１】本発明に係るソレノイド駆動型可変入賞装置の回転子の側面図。
【図１２】本発明に係るソレノイド駆動型可変入賞装置の回転子の後面図。
【図１３】本発明に係るソレノイド駆動型可変入賞装置の機枠体の後面図。
【図１４】図２のＡ−Ａ線断面矢視図。
【図１５】図３のＢ−Ｂ線断面矢視図。
【図１６】本発明に係るソレノイド駆動型可変入賞装置の他の実施形態を示した斜視図。
【図１７】本発明に係るソレノイド駆動型可変入賞装置の他の実施形態を示した要部の斜視図。
【図１８】本発明に係るソレノイド駆動型可変入賞装置の他の実施形態を示した要部の斜視図。
【図１９】本発明に係るソレノイド駆動型可変入賞装置の他の実施形態を示した要部の側面図。
【図２０】本発明に係るソレノイド駆動型可変入賞装置のラッチ機構の他の実施形態を示した水平断面図。
【図２１】本発明に係るソレノイド駆動型可変入賞装置のラッチ機構の他の実施形態を示した縦断面図。
【図２２】図１９の作動状態図。
【図２３】図１９の作動状態図。
【図２４】図２０の作動状態図。
【図２５】図２０の作動状態図。
【図２６】図２０の作動状態図。
【符号の説明】
【００２２】
１                取付基板
２                入球口
４，４ａ，４ｂ    球誘導片
１４              伝動部材
２０              機枠体
２２              ソレノイド
２３              筒状部
２４              ラッチ機構
２５              プランジャー
２６              バネ部材
３０              起動カム体
３３              菊花状凹凸面
３４              突起
３５              回転子
３６              係合片
３７              スリット
２３ａ〜２３ｃ    円弧状部
３８              鋸歯状斜面
３８ａ            第１斜面
３８ｂ            第２斜面
３９ａ            山頂部
３９ｂ            谷底部
【図１】
2008272254.tif 000003
【図２】
2008272254.tif 000004
【図３】
2008272254.tif 000005
【図４】
2008272254.tif 000006
【図５】
2008272254.tif 000007
【図６】
2008272254.tif 000008
【図７】
2008272254.tif 000009
【図８】
2008272254.tif 000010
【図９】
2008272254.tif 000011
【図１０】
2008272254.tif 000012
【図１１】
2008272254.tif 000013
【図１２】
2008272254.tif 000014
【図１３】
2008272254.tif 000015
【図１４】
2008272254.tif 000016
【図１５】
2008272254.tif 000017
【図１６】
2008272254.tif 000018
【図１７】
2008272254.tif 000019
【図１８】
2008272254.tif 000020
【図１９】
2008272254.tif 000021
【図２０】
2008272254.tif 000022
【図２１】
2008272254.tif 000023
【図２２】
2008272254.tif 000024
【図２３】
2008272254.tif 000025
【図２４】
2008272254.tif 000026
【図２５】
2008272254.tif 000027
【図２６】
2008272254.tif 000028